(57)【特許請求の範囲】
【請求項１】
用紙サイズを設定可能な複数の用紙給紙段と、
原稿サイズを検知する原稿サイズ検知手段と、
前記原稿サイズと一致する用紙サイズが設定されている給紙段から給紙する自動用紙選択手段と、
前記原稿サイズおよび前記用紙サイズに基づいて原稿の端面および用紙の端面を一致させるよう複写を行う複写手段を備えた複写装置であって、
前記原稿サイズ検知手段で検知可能な原稿サイズを強制的に変更させるための異なる原稿サイズを、前記検知可能な原稿サイズに対応付けて予め設定可能な原稿サイズ設定変更手段と、
前記原稿サイズ検知手段によって原稿サイズが検知されたとき、検知された原稿サイズに対応付けて設定されている異なる原稿サイズを参照し、前記原稿サイズを、該検知されたサイズから該異なる原稿サイズに変更する動作原稿サイズ変更手段とをさらに備え、
前記自動用紙選択手段は、前記動作原稿サイズ変更手段によって前記原稿サイズが変更された場合、変更後の前記原稿サイズと一致する用紙サイズが設定されている給紙段から用紙を給紙し、
前記複写手段は、前記動作原稿サイズ変更手段によって前記原稿サイズが変更された場合、変更後の前記原稿サイズおよび前記用紙サイズに基づいて前記複写を行うことを特徴とする複写装置。
【請求項２】
前記異なる原稿サイズに対応付けて画像領域の縦横の寸法を予め設定可能な画像領域設定手段をさらに備え、
前記複写手段は、前記原稿サイズ検知手段によって原稿サイズが検知されたとき、検知された原稿サイズに対応付けて設定されている異なる原稿サイズに対応付けて設定されている画像領域の縦横の寸法を参照し、該画像領域の縦横の寸法および前記用紙サイズに基づいて前記複写を行うことを特徴とする請求項１に記載の複写装置。
【請求項３】
任意の原稿サイズを予め入力設定可能な原稿サイズ入力手段と、
前記原稿サイズ入力手段で予め設定された原稿サイズを使用するか、前記原稿サイズ検知手段で検知された原稿サイズを使用するかを選択する選択手段とをさらに備え、
前記選択手段により前記原稿サイズ入力手段で予め設定された原稿サイズを使用することが選択されている場合、
前記複写手段は、前記原稿サイズ入力手段で予め設定された原稿サイズおよび前記用紙サイズに基づいて前記複写を行うことを特徴とする請求項１または請求項２に記載の複写装置。
【請求項４】
前記原稿サイズ入力手段で予め設定される原稿サイズに対して等倍複写時の用紙サイズを予め設定可能な用紙設定手段をさらに備え、
前記選択手段により前記原稿サイズ入力手段で予め設定された原稿サイズを使用することが選択されている場合、
前記自動用紙選択手段は、前記用紙設定手段で予め設定されている用紙サイズが設定されている給紙段から給紙することを特徴とする請求項３に記載の複写装置。
【請求項５】
前記選択手段により前記原稿サイズ入力手段で予め設定された原稿サイズを使用することが選択され、且つ、前記複写手段によって前記複写が変倍で行われる場合、
前記自動用紙選択手段は、前記用紙設定手段で予め設定されている用紙サイズに変倍率をかけた用紙サイズが設定されている給紙段から給紙することを特徴とする請求項４に記載の複写装置。
【発明の詳細な説明】
【０００１】
【発明の属する技術分野】
本発明は、複写装置に関し、特に原稿の操作性が改善された複写装置に関する。
【０００２】
【従来の技術】
従来、多数枚の原稿の複写作業を効率的に行うために、自動原稿送り装置（ＡＤＦ）を装着した複写装置が広く普及してきている。このような複写装置では、ＡＤＦは複写装置本体の原稿台（コンタクトガラス）を開閉自在に覆う圧版を兼ねているのが一般的である。そして、このＡＤＦを圧版として使用する、またはＡＤＦを使用しない圧版モードと、ＡＤＦを使用して原稿を自動給紙するＡＤＦモードを有している。
ところで、複写装置に原稿をセットする場合、原稿基準を原稿台（コンタクトガラス）の主走査方向端部とする端面基準と、原稿台の中央に合わせる中央基準があり、通常、ＡＤＦモード時も圧版モード時の原稿基準と同じ基準位置に原稿がセットされるようになっている。
【０００３】
しかし、端面基準の場合、圧版モードでは原稿の端面を原稿台の端部に突き当ててセットすることができるため原稿のセット性が良いが、ＡＤＦモードで原稿を自動搬送する際、原稿サイズにより原稿の搬送に要する搬送ローラの当接位置が変わるため、原稿サイズによりスキュー等の搬送不良が発生してしまう恐れがある。また、この搬送不良を防止するため、搬送ローラの個数を多くすることも行われているが、この場合コストがかかるという問題がある。
【０００４】
そこで、ＡＤＦを装着したディジタル複写装置において、圧版モード時は端面基準とし、ＡＤＦモード時は中央基準とするものが提案されている（例えば、特開平７−３３６５２２号公報）。この場合、圧版モードとの操作性を統一するために、検知された原稿サイズと用紙サイズをもとに原稿の端面と用紙の端面を一致させるように複写動作を行っている。
【０００５】
【発明が解決しようとする課題】
しかしながら、ＡＤＦで認識できない不定形原稿等の原稿サイズを使用する場合、ＡＤＦは認識可能な原稿サイズに誤認識してしまうため、画像の位置が使用者の意図したものとは異なってしまうという問題がある。
また、複写する用紙サイズも使用者が指定しなければならないという問題もある。
ところで、原稿の端部と用紙の端部を一致させるように複写動作を行わせるためには、原稿サイズと用紙サイズの情報が必要だが、不定形の原稿サイズでコピーを行う場合、ＡＤＦは原稿サイズを誤認知してしまい、使用者が意図した結果が得られないことがある。
【０００６】
そこで、本発明の第１の目的は、使用者が用紙サイズを選択した場合は、原稿サイズを無視して画像領域を算出することによって、使用者が意図する結果を得ることができる複写装置を提供することである。
また、本発明の第２の目的は、特定の不定形の原稿をよく使用する使用者にとって、ＡＤＦでその原稿を通紙するたびに原稿サイズ誤検知が発生するため、予め誤検知するサイズを使用者がコピーしたいサイズに変更するように設定しておくことによって自動用紙選択機能を使用して複写動作を可能とした複写装置を提供することである。
さらに、本発明の第３の目的は、不定形の原稿サイズの画像領域を設定することによって、用紙の端面と原稿画像の端面を一致させることができ、かつ不要な画像領域を複写することがなく、作業性、経済性に優れた複写装置を提供することである。
【０００７】
本発明の第４の目的は、原稿の端部と用紙の端部を一致させるように複写動作を行わせるためには、原稿サイズと用紙サイズの情報が必要だが、不定形の原稿サイズでコピーを行う場合、ＡＤＦは原稿サイズを誤検知してしまい使用者が意図した結果が得られないという問題を解消し、使用者が入力した原稿サイズを用いることによってＡＤＦで誤検知された原稿サイズによる誤動作を防ぎ、使用者が意図する結果を得ることを可能とし、かつ不要な画像領域を複写せず、作業性が向上した複写装置を提供することである。
【０００８】
本発明の第５の目的は、使用者が予め入力および登録しておいた原稿サイズに対応する用紙サイズを設定することで、使用者は原稿サイズを呼び出すだけで自動用紙選択機能を使用して複写動作を可能とし、作業性に優れた複写装置を提供することである。
本発明の第６の目的は、変倍複写時でも自動用紙選択機能を使用して複写動作を可能とし、作業性に優れた複写装置を提供することである。
【０００９】
【課題を解決するための手段】
上記課題を解決する第１の発明では、自動原稿送り装置を装着してあり、この自動原稿送り装置自体を圧版として使用するか、または自動原稿送り装置を使用しない圧版モードと、自動原稿送り装置を使用するＡＤＦモードを有し、前記圧版モードにおける原稿走査の主走査方向の原稿基準位置を原稿台ガラスの主走査方向端部基準とし、ＡＤＦモードにおける主走査方向の原稿基準位置を原稿台ガラス中央部基準とし、用紙サイズを設定可能な複数の用紙給紙段と、原稿サイズを検知する原稿サイズ検知手段と、検知された原稿サイズと一致する用紙サイズが設定されている給紙段から給紙する自動用紙選択機能を備え、画像領域は原稿サイズと用紙サイズのそれぞれの主走査方向および副走査方向を比較し短い方で算出する複写装置であって、ＡＤＦモードで、前記自動用紙選択機能が選択されていない場合、画像領域は原稿サイズに関わりなく選択された給紙段の用紙サイズのみで算出することにより、前記第１の目的を達成する。
【００１０】
上記課題を解決する第２の発明では、自動原稿送り装置を装着してあり、この自動原稿送り装置自体を圧版として使用するか、または自動原稿送り装置を使用しない圧板モードと、自動原稿送り装置を使用するＡＤＦモードを有し、前記圧版モードにおける原稿走査の主走査方向の原稿基準位置を原稿台ガラスの主走査方向端部基準とし、ＡＤＦモードにおける主走査方向の原稿基準位置を原稿台ガラス中央部基準とし、原稿サイズを検知する原稿サイズ検知手段を備え、画像領域は原稿サイズと用紙サイズのそれぞれの主走査方向および副走査方向を比較し短い方で算出する複写装置であって、前記原稿サイズ検知手段により検知された原稿サイズを任意の異なる原稿サイズに設定変更可能な原稿サイズ設定変更手段を備え、ＡＤＦモードで検出された原稿サイズが前記原稿サイズ設定変更手段で異なるサイズに設定されている場合は、前記原稿サイズ設定変更手段で設定された原稿サイズを用いて複写動作を行うことにより、前記第２の目的を達成する。
【００１１】
上記課題を解決する第３の発明では、上記第２の発明において、用紙サイズを設定可能な複数の用紙給紙段と、検知された原稿サイズに対応する用紙サイズが設定されている給紙段から給紙する自動用紙選択機能を備えた複写装置であって、前記原稿サイズ設定変更手段で設定した原稿サイズに対応する原稿の画像領域の縦横の寸法を入力設定する画像領域設定手段をさらに備え、画像領域の原稿サイズは前記画像領域設定手段で設定された値を参照し、自動用紙選択機能は前記原稿サイズ設定変更手段で設定した原稿サイズを参照することにより、前記第３の目的を達成する。
【００１２】
上記課題を解決する第４の発明では、自動原稿送り装置を装着してあり、この自動原稿送り装置自体を圧版として使用するか、または自動原稿送り装置を使用しない圧版モードと、自動原稿送り装置を使用するＡＤＦモードを有し、前記圧版モードにおける原稿走査の主走査方向の原稿基準位置を原稿台ガラスの主走査方向端部基準とし、ＡＤＦモードにおける主走査方向の原稿基準位置を原稿台ガラス中央部基準とし、画像領域は原稿サイズと用紙サイズのそれぞれの主走査方向および副走査方向を比較し短い方で算出する複写装置であって、任意の原稿サイズを入力設定可能な原稿サイズ入力手段と、この原稿サイズ入力手段で設定された原稿サイズを使用するか、ＡＤＦで検出された原稿サイズを使用するかを選択する選択手段を備え、ＡＤＦモードで、前記選択手段により前記原稿サイズ入力手段で設定された原稿サイズが選択された場合、画像領域はＡＤＦで検知された原稿サイズに関わりなく設定された原稿サイズと用紙サイズで算出することにより、前記第４の目的を達成する。
【００１３】
上記課題を解決する第５の発明では、上記第２、３または４の発明において、用紙サイズを設定可能な複数の用紙給紙段と、原稿サイズを検知する原稿サイズ検知手段と、この原稿サイズ検知手段で検知された原稿サイズに一致する用紙サイズが設定されている給紙段から給紙する自動用紙選択機能を搭載した複写装置であって、前記原稿サイズ設定手段で設定した原稿サイズに対応する等倍複写時の用紙サイズを設定する用紙設定手段を備え、前記自動用紙選択機能と前記原稿サイズ入力手段で設定された原稿サイズが選択された場合、ＡＤＦで検知された原稿サイズではなく前記用紙設定手段で設定された用紙サイズに対応する用紙サイズが設定されている給紙段から給紙することにより、前記第５の目的を達成する。
【００１４】
上記課題を解決する第６の発明では、上記第５の発明において、変倍複写と前記自動用紙選択機能が選択された場合、前記用紙設定手段で設定された用紙サイズに変倍率をかけた用紙サイズを給紙段から給紙することにより、前記第６の目的を達成する。
【００１５】
【発明の実施の形態】
以下、本発明の好適な実施の形態図１ないし図１７を参照して詳細に説明する。
この複写装置では、ＡＤＦモード時は中央基準で原稿を給紙するが、圧版モード時との操作性を統一するために、原稿サイズと用紙サイズから原稿の端面と用紙の端面が一致するように演算してコピーを行う。しかし、不定形原稿では圧版モード時は端面に原稿を突き当てるため、位置が固定されているが、ＡＤＦモード時は原稿サイズを誤検知してしまい、画像の位置が大幅に狂ってしまう。そのため、使用者が意図した画像を出力できないことがある。この実施の形態では、使用者の意図に合致する出力を得ることができる。
まず、図１は給紙段選択画面の例を示した図である。等倍で自動用紙選択以外を選択した場合は、原稿サイズを用紙サイズと同一サイズとして上記の演算を行う。
図４にこの実施の形態の出力と従来の出力を例を示してある。この例に示すように、従来の方式だとどうしてもコピーできない領域が存在するが、本実施の形態では、全ての領域をコピーできる。
【００１６】
図２および図３にＡＤＦで検出したサイズを強制的に変更させるための原稿サイズ設定変更画面の例と画像領域の設定画面の例を示してある。また、図８、図９はこの時の処理の手順を示したフローチャートである。
図２の画面で、設定が変更されていないサイズは左右同一の値が入っている。また、画像領域が設定されているサイズでは、＊が表示してある。左側のサイズはＡＤＦで検知されるサイズを示し、右側のサイズは設定変更後のサイズを示している。
例えば、Ｂ３Ｔと検知される不定形原稿を変更する場合、図２の「Ｂ３Ｔ」の右側のキーを押下する。すると図３の上図の画面に切り替わり、変更したいサイズを押下することによって設定される。この画面で画像領域を設定したい場合は、「画像領域設定」キーを押下すると下図の画面になり、数値を入力して「設定」キーを押下すると設定される。
ここで「解除」キーを押下したり、設定をしない場合は、画像領域は設定された原稿サイズと同一になる。また、定形のＢ４サイズも使用したい場合は制約となるが、不定形サイズはＢ４Ｔにして、定形サイズはＢ４Ｙで使用できる。
【００１７】
原稿サイズを強制設定した場合の画像出力の例を図５に示してある。通常原稿サイズを誤検知すると、トレイに設定されていないようなサイズが検出される。しかし、強制的に原稿検知サイズを設定することによって、自動用紙選択等を使用でき、不定形の原稿サイズでも定形原稿サイズと同様に扱うことが可能となる。
図６に画像領域を設定した場合の出力例を示してある。画像領域を設定すると圧版モードと同じように画像を出力することが可能となりトナーを節約できる。
図７は、本実施の形態に係る画像形成装置の構成を示すブロック図である。
この複写装置は、複写機本体とＡＤＦとからなり、シリアル通信で原稿サイズ等の情報をやり取りをしている。
【００１８】
次に、図８、図９のフローチャートを参照して、処理の手順を説明する。この図で０はリセットを意味している。まず、ＡＤＦ原稿サイズ変更モードの場合は（ステップ１０；Ｙ）、ＡＤＦ原稿サイズ強制変更画面を表示し（ステップ１１）、前ページキー、次ページキーが押下されず（ステップ１２；Ｎ）、戻るキーが押下されず（ステップ１３；Ｎ）、原稿サイズキーが押下された時は（ステップ１４；Ｙ）、サイズ変更画面を表示する（ステップ１５）。
そして、サイズ変更キーが押下されると（ステップ１６；Ｙ）、変更後原稿サイズを変更サイズとし（ステップ１９）、原稿サイズと変更サイズを比較する（ステップ２０）。これが同一の場合は（ステップ２０；Ｙ）、サイズ変更フラグをリセットし（ステップ２１）、異なる場合は（ステップ２０；Ｎ）、サイズ変更フラグをセットする（ステップ２２）。
【００１９】
そして、ユーザーにより画像領域設定キーが押下されると（ステップ１８；Ｙ）、画像領域画面を表示し（ステップ２３）、縦、横の数値を入力させる（ステップ２４）。
解除キーが押下されると（ステップ２５；Ｙ）、画像領域設定ブラグをリセットし（ステップ３１）、画像領域縦、画像領域横をそれぞれ０にする（ステップ３２、ステップ３３）。
一方、解除キーが押下されず（ステップ２５；Ｎ）、設定キーが押下されると（ステップ２６；Ｙ）、画像領域設定ブラグをセットし（ステップ２８）、画像領域縦、画像領域横をそれぞれ入力値とする（ステップ２９、ステップ３０）。
【００２０】
図１０のフローチャートは、強制変更設定された原稿サイズがＡＤＦから送信されてきた場合の動作を示している。図１０で決定された動作原稿サイズで自動用紙選択の給紙段を判断し、動作領域の縦および横の寸法と用紙サイズで画像の作像領域を決定する。この図でｉ、ｊは、バッファを意味している。
まず、ＡＤＦから原稿サイズを受信すると（ステップ４０）、ＡＤＦ原稿サイズと同一原稿サイズを検索する（ステップ４１）。そして、サイズ変更フラグをセットしたときは（ステップ４２；Ｙ）、ｉ＝変更後原稿サイズとする（ステップ４３）。そして、動作原稿サイズ＝ｉとし、画像領域フラグがセットされると（ステップ４５；Ｙ）、画像領域縦がＩ＝０のとき（ステップ４６；Ｙ）、ｉ＝原稿長縦とし、画像領域縦がｉ＝０でないとき（ステップ４６；Ｎ）、ｉ＝原稿領域縦とする（ステップ４７）。続いて、画像領域横についても同様の処理を行い（ステップ４９〜ステップ５０）、動作領域縦＝ｉ、動作領域横＝ｊとする（ステップ５２、ステップ５３）。
【００２１】
次に、本発明の他の実施の形態を説明する。
図１１は指定原稿サイズモードの選択と給紙段選択画面の例を示した図であり、図１２は原稿サイズ指定画面の例を示した図である。また、図１３は原稿サイズ設定画面の例を示した図であり、図１４は対応用紙サイズ設定画面の例を示した図である。
【００２２】
図１５および図１６に図１１から図１４に示した画面でのモード設定等の操作手順を示したフローチャートを示してある。
まず、指定原稿サイズキーが押下されると（ステップ６０；Ｙ）、指定原稿サイズが点灯していると（ステップ６１；Ｙ）、指定原稿サイズを消灯し（ステップ６２）、指定原稿サイズモードリセットする（ステップ６３）。
一方、指定原稿サイズが点灯していない場合（ステップ６１；Ｎ）、指定原稿サイズを点灯し（ステップ６４）、指定原稿サイズモードをセットする（ステップ６５）。そして、プログラムデータを呼び出して原稿サイズ指定画面（図１２）を表示する（ステップ６６）。
【００２３】
ここで、１〜４のプログラムキーいずれかが押下されず（ステップ６７；Ｎ）、対応用紙サイズキーが押下されると（ステップ６８；Ｙ）、図１４に示す対応用紙サイズ設定画面が表示される（ステップ６９）。このとき設定されている用紙が点灯している（ステップ７０）。ここで、ユーザーにより、用紙キーが押下されると（ステップ７１；Ｙ）、全用紙キーが消灯し（ステップ７２）、その後、押下された用紙が点灯する（ステップ７３）。一方、用紙キーが押下されず（ステップ７１；Ｎ）、戻るキーが押下されると（ステップ７４；Ｙ）、ステップ６７に戻る。
【００２４】
プログラムキー１〜４のいずれかが押下された場合（ステップ６７；Ｙ）、押下されたプログラムが点灯しているときは（ステップ７５；Ｙ）、押下されたプログラムを消灯し（ステップ７６）、押下されたプログラムが点灯していないときは（ステップ７５；Ｎ、ステップ７７）、当該押下されたプログラムを点灯する（ステップ７８）。
【００２５】
次に、対応用紙サイズキーが押下されない場合（ステップ６８；Ｎ）、設定キーが押下されているかを判断する（ステップ７９）。押下されていた場合（ステップ７９；Ｙ）、どれかプログラムが点灯していれば（ステップ８０；Ｙ）、原稿サイス設定画面（図１３参照）を表示する（ステップ８１）。ここで、ユーザーが縦・横数値入力すると（ステップ８２）、解除キーが押下されず（ステップ８３；Ｎ）、設定キーが押下され（ステップ８５；Ｙ）、データが有ったとき（ステップ８６；Ｙ）、プログラム登録される（ステップ８７）。解除キーが押下されると（ステップ８３；Ｙ）、プログラムデータがクリアされる（ステップ８４）。
【００２６】
一方、設定キーが押下されず（ステップ７９；Ｎ）、どれかプログラムが点灯していない場合（ステップ８０；Ｎ）、戻るキーが押下され（ステップ８９；Ｙ）、プログラムが点灯し（ステップ９０；Ｙ）、データが有るときは（ステップ９１；Ｙ）、指定原稿サイズ、対応用紙サイズにプログラムデータをセットする（ステップ９２）。また、プログラム点灯しないとき（ステップ９０；Ｎ）、データがないとき（ステップ９１；Ｎ）、指定原稿サイズモードをリセットし（ステップ９３）、指定原稿サイズを消灯する（ステップ９４）。
【００２７】
図１７は、他の実施の形態の処理手順を示したフローチャートである。まず、ＡＤＦ原稿が給紙され（ステップ１００）、指定原稿サイズモードのとき（ステップ１０１；Ｙ）、原稿サイズは指定原稿サイズとなる（ステップ１０２）。そして、用紙自動選択の場合（ステップ１０３；Ｙ）、指定原稿サイズモードのとき（ステップ１０４；Ｙ）、対応用紙サイズがあるとき（ステップ１０５；Ｎ）、ｉ＝対応用紙サイズを縦×倍率で求め（ステップ１０６）、ｊ＝対応用紙サイズを横×倍率で求める（ステップ１０７）。また、指定原稿サイズモードでないとき（ステップ１０４；Ｎ）、ｉ＝原稿サイズを縦×倍率（ステップ１０８）、ｊ＝原稿サイズを横×倍率で求める（ステップ１０９）。そして、ｉ、ｊと一致する用紙サイズを検索する（ステップ１１０）。
【００２８】
そして、一致する用紙サイズがないとき（ステップ１１１；Ｎ）および対応用紙サイズがないとき（ステップ１０５；Ｙ）、「用紙を指定して下さい」との表示を表示部に行う（ステップ１１２）。
なお、指定原稿サイズモードでないとき（ステップ１０１；Ｎ）、ＡＤＦから原稿サイズを受信していれば（ステップ１１３；Ｙ）、原稿サイズをＡＤＦ原稿サイズとして処理する（ステップ１１４）。
【００２９】
次に、検索の結果、用紙サイズが有った場合（ステップ１１１；Ｙ）、原稿サイズ縦×倍率と用紙サイズ縦を比較する（ステップ１１５）。その結果、原稿サイズ縦×倍率の方が大きい場合（ステップ１１５；Ｙ）、ｉ＝用紙サイズ縦とし（ステップ１１６）、逆に小さい場合（ステップ１１５；Ｎ）、ｉ＝原稿サイズ縦×倍率とする（ステップ１１７）。
続いて、原稿サイズ横×倍率と用紙サイズ横を比較する（ステップ１１８）。その結果、原稿サイズ横×倍率の方が用紙サイズ横より大きい場合（ステップ１１８；Ｙ）、ｊ＝用紙サイズ横とし（ステップ１１９）、逆に小さい場合（ステップ１１８；Ｎ）、ｊ＝用紙サイズ横×倍率とする（ステップ１２０）。
そして、画像領域縦をｉとし（ステップ１２１）、横をｊとして（ステップ１２２）、用紙を給紙して（ステップ１２３）、画像形成を行う。
【００３０】
この実施の形態では、わざわざ指定原稿サイズモードを設定しなければならないが、複数のＡＤＦ検知不能な原稿サイズを使用する場合（たとえば外資系の企業だと国内のＡ列、Ｂ列とインチ列を混在して使用する場合があるがインチ列を使用すると近いＡ列・Ｂ列に検知される）でも原稿サイズを指定でき、かつ設定されたサイズを呼び出すことができるため、原稿を縦横通紙の制約がなく使用者の混乱を防ぐことができる。また、正確に原稿サイズがわかるためＡＤＦで誤検知が発生しない場合でも端面を合わせることができる。
さらに、等倍時の用紙サイズを設定できるため拡大・縮小時も自動用紙選択が使用できる。
【００３１】
【発明の効果】
上記第１の発明では、原稿の端部と用紙の端部を一致させるように複写動作を行わせるためには、原稿サイズと用紙サイズの情報が必要だが不定形の原稿サイズでコピーを行う場合、ＡＤＦは原稿サイズを誤検知してしまい使用者が意図した結果が得られないことがあるが、使用者が用紙サイズを選択した場合は原稿サイズを無視して画像領域を算出することによって、使用者が意図する結果を得ることを可能とした。
【００３２】
上記第２の発明では、特定の不定形の原稿をよく使用する使用者にとって、ＡＤＦでその原稿を通紙するたびに原稿サイズ誤検知が発生するため、予め誤検知するサイズを使用者がコピーしたいサイズに変更するように設定しておくことによって自動用紙選択機能を使用して複写動作を可能とし、作業性の優れた複写装置を提供することができる。
【００３３】
上記第３の発明では、不定形の原稿サイズの画像領域を設定することによって、用紙の端面と原稿画像の端面を一致させることができ、かつ不要な画像領域を複写することのない、作業性がよく、経済性の優れた複写装置を提供することができる。上記第４の発明では、原稿の端部と用紙の端部を一致させるように複写動作を行わせるためには、原稿サイズと用紙サイズの情報が必要だが、不定形の原稿サイズでコピーを行う場合、ＡＤＦは原稿サイズを誤検知してしまい使用者が意図した結果が得られないという問題があり、使用者が入力した原稿サイズを用いることによってＡＤＦで誤検知された原稿サイズによる誤動作を防ぎ、使用者が意図する結果を得ることを可能とし、かつ不要な画像領域を複写することのない、作業性が良く経済性に優れた複写装置を提供することができる。
【００３４】
上記第５の発明では、使用者が予め入力および登録しておいた原稿サイズに対応する用紙サイズを設定することで、使用者は原稿サイズを呼び出すだけで自動用紙選択機能を使用して複写動作を可能とし、作業性に優れた複写装置を提供することができる。上記第６の発明では、変倍複写時でも自動用紙選択機能を使用して複写動作を可能とし、作業性に優れた複写装置を提供することができる。
【図面の簡単な説明】
【図１】給紙段選択画面の例を示した図である。
【図２】ＡＤＦで検出したサイズを強制的に変更させるための原稿サイズ設定変更画面の例を示した図である。
【図３】画像領域の設定画面の例を示した図である。
【図４】本実施の形態の出力と従来の出力を例を示した図である。
【図５】原稿サイズを強制設定した場合の画像出力の例を示した図である。
【図６】画像領域を設定した場合の出力例を示した図である。
【図７】本実施の形態に係る複写装置の構成を示したブロック図である。
【図８】第１の実施の形態の処理の手順を示したフローチャートである。
【図９】第１の実施の形態の処理の手順を示したフローチャートであり、図８の続きである。
【図１０】第２の実施の形態の処理の手順を示したフローチャートである。
【図１１】指定原稿サイズモードの選択と給紙段選択画面の例を示した図である。
【図１２】原稿サイズ指定画面の例を示した図である。
【図１３】原稿サイズ設定画面の例を示した図である。
【図１４】対応用紙サイズ設定画面の例を示した図である。
【図１５】図１１から図１４に示した画面でのモード設定等の操作手順を示したフローチャートである。
【図１６】図１１から図１４に示した画面でのモード設定等の操作手順を示したフローチャートであり、図１６の続きである。
【図１７】他の実施の形態の処理手順を示したフローチャートである。
【図１】
0003986699.tif 000002
【図２】
0003986699.tif 000003
【図３】
0003986699.tif 000004
【図４】
0003986699.tif 000005
【図５】
0003986699.tif 000006
【図６】
0003986699.tif 000007
【図７】
0003986699.tif 000008
【図８】
0003986699.tif 000009
【図９】
0003986699.tif 000010
【図１０】
0003986699.tif 000011
【図１１】
0003986699.tif 000012
【図１２】
0003986699.tif 000013
【図１３】
0003986699.tif 000014
【図１４】
0003986699.tif 000015
【図１５】
0003986699.tif 000016
【図１６】
0003986699.tif 000017
【図１７】
0003986699.tif 000018